(57)【要約】【課題】起こされた掴み面部の姿勢を，元の姿勢に戻りにくくする。【解決手段】断熱紙容器１は，胴部12および底部13から構成される有底の紙カップ本体と，上記紙カップ本体の胴部12の外側に被せられてかつ固定された紙製の外筒14とを備えている。外筒14の対向する２か所に，所定の長さを有する折罫線21と上記折罫線21の両端部を結ぶ破断線22とによって区画された，破断線22が切り離されることで上記折罫線21に沿って外側に折り返し可能な掴み面部20が形成されている。上記破断線22は上記折罫線21の上方に逆Ｕ字形に形成されている。【選択図】図４
2019104503.tif 000002
【特許請求の範囲】
【請求項１】
有底の容器本体と，上記容器本体の胴部の外側に被せられてかつ固定された紙製の外筒とを備え，
上記外筒の対向する２か所に，所定の長さを有する折罫線と上記折罫線の両端部を結ぶ破断線とによって区画された，破断線が切り離されることで上記折罫線に沿って外側に折り返し可能な掴み面部が形成されており，
上記破断線が上記折罫線の上方に逆Ｕ字形に形成されている，
掴み付容器。
【請求項２】
上記折罫線の両端部のそれぞれに湾曲切込みがつながっている，
請求項１に記載の掴み付容器。
【請求項３】
有底の容器本体の胴部の外側に固定される紙製の掴み片であって，
所定の長さを有する折罫線と上記折罫線の両端部を結ぶ破断線とによって区画された，破断線が切り離されることで上記折罫線に沿って外側に折り返し可能な掴み面部が形成されており，上記破断線が上記折罫線の上方に逆Ｕ字形に形成されている，
掴み片。
【請求項４】
上記折罫線の両端部のそれぞれに湾曲切込みがつながっている，
請求項３に記載の掴み片。
【発明の詳細な説明】
【技術分野】
【０００１】
この発明は，掴み付容器および掴み片に関するもので，特に電子レンジ，オーブン等で加熱する食品の包装に適する掴み付容器およびその掴み片に関する。
【背景技術】
【０００２】
特許文献１は，紙カップ本体と紙製筒状体とが組み合わされた断熱容器を開示する。筒状体には折線とＵ字形の切れ目線とによって区画されたつかみ片が形成されている。折線に沿って折ることでつかみ片は筒状体から起こされ，筒状体から外方に突出する。外方に広がる掴み片を手で持つことで，手が断熱容器に触れず，熱さを感じずに断熱容器を持ち運ぶことができる。
【０００３】
特許文献２は，容器本体と容器本体の胴部壁の外周部を覆う外套を備えるカップ状容器を開示する。外套は，周方向バンド部および縦方向バンド部を残して，その大部分を取っ手として用いることができる。取っ手を持つことで熱さを感じることなく容器を持つことができる。
【先行技術文献】
【特許文献】
【０００４】
【特許文献１】特許第４３６０７０８号公報
【特許文献２】特許第４２２６５６５号公報
【０００５】
折線において筒状体につながるつかみ片は折線の両端部から裂け（破け）が生じやすい。特許文献１に記載の断熱容器において切れ目線はＵ字形であるから，折線の両端部における切れ目線の終点（端部）に向かう方向は上向きである（切れ目線の頂部がつかみ片の上端に位置する）。つかみ片を手で持って断熱容器を持ち上げたときにつかみ片に加わる力も上向きである。このため，つかみ片を掴んで断熱容器を持ち上げたときに，つかみ片を筒状体につなぐ折線（つかみ片の基部）の両端部において，上向きの切れ目線を伸ばす方向の裂け（破れ）が筒状体に生じやすい。折線の両端部またはいずれか一方の端部において折線（つかみ片の基部）がわずかにでも裂けると，そこから裂けが拡がってつかみ片が破け取れてしまいやすくなる。
【０００６】
特許文献２に記載のカップ状容器は取っ手の強度は高いものの，外套の大部分が取っ手に用いられるので，断熱性能が大きく低下する。
【発明の開示】
【０００７】
この発明は，破れ（裂け）が生じにくい掴み面部を提供することを目的とする。
【０００８】
この発明はまた，断熱性能を大きく低下させることなく，破れ（裂け）の生じにくい掴み面部を形成できるようにすることを目的とする。
【０００９】
この発明による掴み付容器は，有底の容器本体と，上記容器本体の胴部の外側に被せられてかつ固定された紙製の外筒とを備え，上記外筒の対向する２か所に，所定の長さを有する折罫線と上記折罫線の両端部を結ぶ破断線とによって区画された，破断線が切り離されることで上記折罫線に沿って外側に折り返し可能な掴み面部が形成されており，上記破断線が上記折罫線の上方に逆Ｕ字形に形成されていることを特徴とする。
【００１０】
逆Ｕ字形は，Ｕ字形を上下逆さまにした形状を意味し，間隔をあけて位置する２つの下端（終点，端点）のそれぞれから上方にのびる線が上方でつながっている形状を意味する。折罫線と逆Ｕ字形の破断線とによって囲まれた範囲が掴み面部である。掴み面部（逆Ｕ字形）はたとえば半円形であっても，半楕円形であってもよい。両角が丸められた矩形（四角形）であってよい。
【００１１】
この発明によると，外筒に形成される掴み面部を区画する破断線が逆Ｕ字形であるので，折罫線の両端部において破断線の終点（端点）に向かう方向が下向きとなる（破断線の頂部が掴み面部の下端に位置する）。他方，掴み面部を手で持って容器を持ち上げたときに掴み面部に加わる力は上向きなので，掴み片を掴んで容器を持ち上げたときに，掴み面部を外筒につなぐ折罫線（掴み面部の基部）の両端部において，下向きの破断線をのばす方向に外筒は破けにくく，このため掴み面部を破け取れにくくすることができる。また，掴み面部は外筒の対向する２か所に形成されるので，掴み面部の範囲を除く範囲は外筒によって覆い続けることができ，断熱性能が大きく低下することもない。
【００１２】
好ましくは，上記折罫線の両端部のそれぞれに湾曲切込みがつながっている。掴み面部を折ったときに折罫線の両端部において外筒が破れるのを防止するまたは軽減することができる。
【００１３】
この発明は掴み片も提供する。この発明による掴み片は，有底の容器本体の胴部の外側に固定される紙製のものであって，所定の長さを有する折罫線と上記折罫線の両端部を結ぶ破断線とによって区画された，破断線が切り離されることで上記折罫線に沿って外側に折り返し可能な掴み面部が形成されており，上記破断線が上記折罫線の上方に逆Ｕ字形に形成されていることを特徴とする。
【００１４】
この発明による掴み片は，容器本体の胴部の外側に固定されて用いられる。掴み片に形成される掴み面部を区画する破断線が逆Ｕ字形であるので，折罫線の両端部において破断線の終点（端点）に向かう方向が下向きとなり，他方，掴み面部を手で持って容器を持ち上げたときに掴み面部に加わる力は上向きであるので，掴み片を掴んで容器を持ち上げたときに，掴み面部を掴み片につなぐ折罫線（掴み面部の基部）の両端部において，下向きの破断線をのばす方向に掴み片は破けにくく，このため掴み面部を破け取れにくくすることができる。
【図面の簡単な説明】
【００１５】
【図１】第１実施例の断熱紙容器の斜視図である。
【図２】図１のII−II線に沿う断熱紙容器の一部縦断面図である。
【図３】第１実施例の断熱紙容器を構成する外筒の展開図である。
【図４】掴み面部を起こした状態の断熱紙容器の斜視図である。
【図５】第２実施例の紙容器を構成する掴み片の拡大平面図である。
【図６】第２実施例の紙容器の斜視図である。
【発明を実施するための最良の形態】
【００１６】
以下，第１実施例から第２実施例を参照して，この発明による掴み付紙容器を詳細に説明する。
【実施例１】
【００１７】
図１から図４は第１実施例の断熱紙容器を示している。図１は断熱紙容器の斜視図，図２は図１のII−II線に沿う断熱紙容器の一部縦断面図，図３は外筒の展開図（ブランク図），図４は掴み面部を外側に折った状態の断熱紙容器の斜視図である。
【００１８】
断熱紙容器１は，蓋材10と，胴部12と，底部13と，外筒14とから構成されている。
【００１９】
胴部12は上部の径がわずかに大きく，下にいくほど径が小さくなる円筒状で，開口する上面が蓋材10によって閉じられている。胴部12の上端周縁部は外側に巻かれ，いわゆるカール部11が形成されている。底部13は円形で，その周縁部が下側に屈曲されている（屈曲部13ａ）。底部13は胴部12の下面開口内にぴったりと嵌り，胴部12の下端部が内側に折り返されて（折り返し部12ａ），この折り返し部12ａが底部13の屈曲部13ａを挟んでいる。底部13の屈曲部13ａの内外両面と，これを挟む胴部12の下端部の内面とは，接着または溶着されている。胴部12および底部13には，たとえば紙基材とその内面にポリオレフィン系樹脂が積層された積層構造のものが用いられる。胴部12および底部13には，190〜450ｇ／ｍ２程度の坪量の板紙素材の内面に，5〜100μｍ、好ましくは20〜80μｍの厚さの低密度ポリエチレン樹脂，中密度ポリエチレン樹脂，高密度ポリエチレン樹脂，線状低密度ポリエチレン樹脂を押し出しコートによって形成したものを用いることもできる。これは，内容物の板紙への浸透防止，内容物保護適正の向上，底部13，カール部11，胴部12の胴貼り部におけるカップ成形適正を上げ，蓋材10のカール部11におけるヒートシールによる封緘性を良好にする効果もある。胴部12と底部13とによって有底の紙カップ本体（容器本体）が構成される。容器本体は紙基材にポリスチレン層，ポリエチレン層，ポリエチレン・テレフタレート層，ポリプロピレン層などを積層したものを用いてもよいし，ポリプロピレンやポリスチレン，ポリエチレン・テレフタレートなどの樹脂製のものでもよい。
【００２０】
外筒14はやや弧状に形成されたブランク材（図３）の側部同士を接着して円筒状に形成し，次に下端部を内側に折り返して接着することで形成される。折り返し部分を図２において符号14ａで示す。側部同士の接着に用いられる接着部14ｂを図３においてハッチングで示す。
【００２１】
外筒14も，胴部12と同様に，上部の径が大きく，下にいくほど径が小さくなる円筒状である。この外筒内14に底部13を有する胴部12を上から入れる（嵌入する）。外筒14の上端は胴部12の上端周縁のカール部11の内側の隙間に入り，下端部は胴部12の下端部の外側に沿う（接触する）。外筒14は胴部12に接着剤によって固定される。たとえば外筒14の下端部の折り返し部14ａと胴部12，外筒14の上端部とカール部11，またはこれらの両方を接着することができる。外筒14の下端は胴部12の下端（糸じり）よりも下方に突出していない方がよい。もっとも，外筒14の下端を胴部12の下端よりも下方に突出させて，断熱紙容器１の全体を外筒14で支持することもできる。また，外筒14の下端部は折り返さずにそのままストレートにのびてもよい。外筒14と胴部12の間には断熱のための隙間を形成するのが好ましい。もっとも外筒14と胴部12の間の隙間は必ずしも必要ではない。
【００２２】
外筒14には紙を主強度材とするものが用いられる。外筒14は紙基材のみで構成してもよいし，その外層にポリスチレン層，ポリエチレン層，ポリエチレン・テレフタレート層，ポリプロピレン層などを積層したものを用いてもよい。外筒14の紙材には坪量230〜450ｇ／ｍ２のカード系，コートボール系等の板紙を使用することができる。
【００２３】
蓋材10はカール部11の上面に蓋材10を接着するためのシーラント層，文字，図形等を印刷するための紙層，上記紙層を保護するための保護層などを多層に積層したものを用いることができる。形状保持等のためのアルミニウム層をシーラント層と紙層との間に積層してもよい。ナイロン（ＮＹ），ポリエチレンテレフタレート（ＰＥＴ）等の基材フィルムにイージーピール層をドライラミネートしたものを蓋材10に用いてもよい。
【００２４】
図１，図３および図４を参照して，外筒14に２つの掴み面部20が区画されている。掴み面部20のそれぞれは，円筒状にされた外筒14のほぼ対向する反対側に区画されている。
【００２５】
掴み面部20は，外筒14の一部から構成されるもので，外筒14に形成された折罫線21と，折罫線21の両端部につながり，上向きに弧状にのびるように逆Ｕ字形で外筒14に形成された破断線22とによって囲まれた，上向きに突出する形状を持つ。折罫線21は，図示するように上向きに湾曲するように形成するのが好ましいが，円周方向の直線状に折罫線21を構成してもよい。また，折罫線21の両端部のそれぞれには，外方（下向き）に弧状に突出する返し切込み線23が入れられている。
【００２６】
破断線22は，その途中に設けられる短いつなぎ部14ｃの箇所を除いて，外筒14を貫通する切込み線によって構成することができる。もっとも，破断線22を複数の短い切込み線を短い複数のつなぎ部でつなげたもので形成してもよいし，切込み線を間欠的に結ぶミシン目によって形成してもよい。つなぎ部14ｃによって，掴み面部20は，以下に説明するように外筒14から切り取られるまで，外筒14とほぼ面一に外筒14につなぎとめられる。
【００２７】
図４を参照して，破断線22に爪または指をかけて掴み面部20を下向きにめくる（起こす）ことで，つなぎ部14ｃがちぎれ，掴み面部20は折罫線21において外側に折られる。折罫線21の両端部に返し切込み線23が形成されているので，掴み面部20を外側に折ったときに折罫線21の両端部において外筒14は破けにくい。
【００２８】
掴み面部20は，折罫線21において外筒14につながった状態で，破断線22に沿って外筒14から切り取られて外方に突出する。上述のように，掴み面部20を外筒14につなぐ折罫線21が上向きにやや湾曲しているので，外筒14からめくられた掴み面部20は側方から見てわずかに上方に湾曲した形状を帯びる。両方の掴み面部20を折った後，断熱紙容器１はたとえば電子レンジ等に入れられ，内容物が加熱される。
【００２９】
外筒14に形成される掴み面部20を区画する破断線22が逆Ｕ字形であるので，折罫線21の両端部における破断線22の終点に向かう方向が下向きとなる（破断線22の頂部が掴み面部20の下端に位置する）。他方，掴み面部20を手で持って断熱紙容器１を持ち上げたときに掴み面部20に加わる力は上向きである。このため，２つの掴み面部20を掴んで断熱紙容器１を持ち上げたときに，掴み面部20を外筒14につなぐ折罫線21（掴み面部20の基部）の両端部において，下向きの破断線22がのびる方向に外筒14は破けにくく，したがって掴み面部20を破け取れにくくすることができる。
【００３０】
上述したように，掴み面部20は破断線22に爪または指をかけて下向きにめくって起こす必要がある。掴み面部20を起こしやすくする（爪または指をかけやすくする）ために，掴み面部20に凸部（エンボス部）または凹部（デボス部）を形成しておいてもよい。掴み面部20の先端部に切込みを入れたり，掴み面部20の一部に連続して外方に小さく突出する突出部を外筒14に形成したり，掴み面部20に隣接する切欠き部分を外筒14に形成したりしてもよい。掴み面部20に爪または指がかけやすくなり，掴み面部20を起こすのが容易になる。
【実施例２】
【００３１】
図５および図６は第２実施例を示すもので，図５は掴み片30の平面図を，図６は掴み片30が取り付けられた紙容器２の斜視図を，それぞれ示している。
【００３２】
上述した第１実施例では，断熱紙容器１が外筒14を備え，外筒14の一部に掴み面部20が形成されている。これに対して第２実施例の紙容器２は外筒を備えておらず，胴部12が露出している点が異なる。
【００３３】
胴部12の対向する反対側の２箇所に，図５に示す掴み片30が装着されている。掴み片30は，上述した外筒14と同様，紙を主強度材とするもので，矩形の外形を有しており，上述した第１実施例の掴み面部20が形成されているものである。掴み片30は接着または溶着によって胴部12の表面に固定してもよいし，掴み片30の上縁部をカール部11に差し込み，下部を接着することによって胴部12に固定してもよい。
【００３４】
破断線22に爪または指をかけて掴み面部20を起こし，外側に折ることで，掴み面部20を外方に突出させるのは，第１実施例と同じである。また，第１実施例と同様に，掴み片30に形成される掴み面部20を区画する破断線22が逆Ｕ字形であるので，折罫線21の両端部における破断線22の方向が下向きとなり（破断線22の頂部が掴み面部20の下端に位置する），これは，掴み面部20を手で持って紙容器２を持ち上げたときに掴み面部20に加わる上向きの力と逆向きである。このため，掴み面部20を掴んで紙容器２を持ち上げたときに，掴み面部20を掴み片30につなぐ折罫線21（掴み面部20の基部）の両端部において，下向きの破断線22がのびる方向に掴み片30は破けにくく，したがって掴み面部20を破け取れにくくすることができる。
【００３５】
上述した実施例では，紙カップ本体（紙製の胴部12および底部13）の外側に紙製の外筒14を被せて固定した断熱紙容器１，および紙カップ本体の外側に紙製の掴み片30を固定した紙容器２を説明したが，紙カップ本体に代えて樹脂製カップ本体を用いることもできる。
【符号の説明】
【００３６】
１  断熱紙容器
２  紙容器
10  蓋材
11  カール部
12  胴部
13  底部
14  外筒
14ｄ，30ａ  孔
20  掴み面部
21  折罫線
22  破断線
23  返し切込み線
30  掴み片
【図１】
2019104503.tif 000003
【図２】
2019104503.tif 000004
【図３】
2019104503.tif 000005
【図４】
2019104503.tif 000006
【図５】
2019104503.tif 000007
【図６】
2019104503.tif 000008